(57)【要約】【課題】少量の薬剤であっても、複数の薬剤を細分化させると共に、空気を含ませて酸化させながら十分に撹拌及び混合して、好適な毛染め剤を生成できるようにすること。【解決手段】使用者が把持する本体部４と、本体部４に設けられた駆動部５と、本体部４に連結されると共に、駆動部５で回転される回転軸２と、回転軸２の先端２ａに設けられた回転羽１と、を備え、回転羽１は、回転軸２を中心とする放射方向に延設された複数の柔軟な突起部を備え、各突起部は、回転軸２の軸方向に分割されており、回転羽１の先端側に配置される突起部は、その他の突起部よりも厚く構成される。【選択図】図２
2017113127.tif 000002
【特許請求の範囲】
【請求項１】
複数の薬剤を撹拌及び混合して毛染め剤を生成するためのハンディ式ブレンダーであって、
使用者が把持する本体部と、
前記本体部に設けられた駆動部と、
前記本体部に連結されると共に、前記駆動部で回転される回転軸と、
前記回転軸の先端に設けられた回転羽と、を備え、
前記回転羽は、
前記回転軸を中心とする放射方向に延設された複数の柔軟な突起部を備え、
前記各突起部は、
前記回転軸の軸方向に分割されており、
前記回転羽の先端側に配置される前記突起部は、その他の前記突起部よりも厚く構成されている
ことを特徴とする毛染め剤用ハンディ式ブレンダー。
【請求項２】
複数の薬剤を撹拌及び混合して毛染め剤を生成するためのハンディ式ブレンダーのアタッチメントであって、
前記ハンディ式ブレンダーは、
使用者が把持する本体部と、
前記本体部に設けられた駆動部と、を備え、
前記アタッチメントは、
前記本体部に着脱可能に連結されると共に、前記駆動部で回転される回転軸と、
前記回転軸の先端に設けられた回転羽と、を備え、
前記回転羽は、
前記回転軸を中心とする放射方向に延設された複数の柔軟な突起部を備え、
前記各突起部は、
前記回転軸の軸方向に分割されており、
前記回転羽の先端側に配置される前記突起部は、その他の前記突起部よりも厚く構成されている
ことを特徴とする毛染め剤用ハンディ式ブレンダーのアタッチメント。
【請求項３】
前記各突起部は、
前記回転軸の軸方向から見て互いに重ならないように配置されている
ことを特徴とする請求項１又は２に記載の毛染め剤用ハンディ式ブレンダー又はそのアタッチメント。
【請求項４】
前記回転羽は、
前記回転軸の軸方向に分割された複数の分割羽を備え、
前記各分割羽は、
前記複数の突起部を備え、
前記回転羽の先端側に配置される前記分割羽は、その他の前記分割羽よりも厚く構成されている
ことを特徴とする請求項１〜３のいずれかに記載の毛染め剤用ハンディ式ブレンダー又はそのアタッチメント。
【請求項５】
さらに、頭部及びねじ軸を有するねじ部を備え、
前記各分割羽は、その中心に前記ねじ軸を貫通する貫通孔を備え、
前記回転軸は、その先端の中心に前記ねじ軸を螺合するねじ孔を備え、
前記ねじ部のねじ軸は、前記各分割羽の貫通孔を貫通すると共に、前記回転軸のねじ孔に螺合され、
前記各分割羽は、前記ねじ部の頭部と前記回転軸との間で固定される
ことを特徴とする請求項４に記載の毛染め剤用ハンディ式ブレンダー又はそのアタッチメント。
【請求項６】
前記回転羽の先端側に配置される前記分割羽は、前記ねじ部の頭部を収納する収納部を備える
ことを特徴とする請求項５に記載の毛染め剤用ハンディ式ブレンダー又はそのアタッチメント。
【請求項７】
前記回転羽は、硬度６０度〜８０度のシリコーン樹脂からなる
ことを特徴とする請求項１〜６のいずれかに記載の毛染め剤用ハンディ式ブレンダー又はそのアタッチメント。
【発明の詳細な説明】
【技術分野】
【０００１】
本発明は、複数の薬剤を撹拌及び混合して毛染め剤を生成するためのハンディ式ブレンダー及びそのアタッチメントに関する。
【背景技術】
【０００２】
美容院や家庭では、複数の薬剤を撹拌及び混合してペースト状の毛染め剤を生成する。一般的には、毛染め剤は、使用する直前に２つの薬液を混合して生成される。複数の薬剤を迅速に撹拌及び混合できる毛染め剤ミキサーは、例えば特許文献１に開示されている。
【０００３】
毛染め剤ミキサーは、複数の薬剤を撹拌して混合する撹拌羽を有するカップ部と、撹拌羽を駆動する駆動モータを有する駆動部と、を備える。使用者は、毛染め剤ミキサーのカップ部に所定量の薬剤を投入して撹拌及び混合する。カップ部は、予め多量の薬剤を収納できる大きさなので、カップ部に投入される薬剤が少量である場合、薬剤を細かく撹拌及び混合できず、好適な毛染め剤を生成できない問題がある。さらに、カップ部又は撹拌羽に毛染め剤が付着して取り出し難い問題があり、さらに、カップ部及び撹拌羽の洗浄に時間がかかる等の問題もある。
【０００４】
そこで、小さなカップに少量の薬剤を投入して、特許文献２等に開示されたハンディ式ブレンダーで薬剤を撹拌及び混合することが考えられる。しかし、上記のハンディ式ブレンダーは、料理の材料を混合するために使用されるので、その回転翼では、毛染め剤用の薬剤を細かく撹拌及び混合できない。
【０００５】
特に、毛染め剤用の薬剤は、細分化させると共に、空気を含ませて酸化させながら、短時間で十分に撹拌及び混合する必要がある。
【先行技術文献】
【特許文献】
【０００６】
【特許文献１】実用新案登録第３１６７９８８号公報
【特許文献２】特開２００６−３２５９１９号公報
【発明の概要】
【発明が解決しようとする課題】
【０００７】
そこで、本発明が解決しようとする課題は、少量の薬剤であっても、複数の薬剤を細分化させると共に、空気を含ませて酸化させながら十分に撹拌及び混合して、好適な毛染め剤を生成できるハンディ式ブレンダー及びそのアタッチメントを提供することにある。
【課題を解決するための手段】
【０００８】
上記の課題を解決するために、本発明に係るハンディ式ブレンダーは、
複数の薬剤を撹拌及び混合して毛染め剤を生成するためのハンディ式ブレンダーであって、
使用者が把持する本体部と、
本体部に設けられた駆動部と、
本体部に連結されると共に、駆動部で回転される回転軸と、
回転軸の先端に設けられた回転羽と、を備え、
回転羽は、
回転軸を中心とする放射方向に延設された複数の柔軟な突起部を備え、
各突起部は、
回転軸の軸方向に分割されており、
回転羽の先端側に配置される突起部は、その他の突起部よりも厚く構成されている。
【０００９】
また、本発明に係るハンディ式ブレンダーのアタッチメントは、
複数の薬剤を撹拌及び混合して毛染め剤を生成するためのハンディ式ブレンダーのアタッチメントであって、
ハンディ式ブレンダーは、
使用者が把持する本体部と、
本体部に設けられた駆動部と、を備え、
アタッチメントは、
本体部に着脱可能に連結されると共に、駆動部で回転される回転軸と、
回転軸の先端に設けられた回転羽と、を備え、
回転羽は、
回転軸を中心とする放射方向に延設された複数の柔軟な突起部を備え、
各突起部は、
回転軸の軸方向に分割されており、
回転羽の先端側に配置される突起部は、その他の突起部よりも厚く構成されている。
【００１０】
好ましくは、
各突起部は、
回転軸の軸方向から見て互いに重ならないように配置されている。
【００１１】
好ましくは、
回転羽は、
回転軸の軸方向に分割された複数の分割羽を備え、
各分割羽は、
複数の突起部を備え、
回転羽の先端側に配置される分割羽は、その他の分割羽よりも厚く構成されている。
【００１２】
好ましくは、
さらに、頭部及びねじ軸を有するねじ部を備え、
各分割羽は、その中心にねじ軸を貫通する貫通孔を備え、
回転軸は、その先端の中心にねじ軸を螺合するねじ孔を備え、
ねじ部のねじ軸は、各分割羽の貫通孔を貫通すると共に、回転軸のねじ孔に螺合され、
各分割羽は、ねじ部の頭部と回転軸との間で固定される。
【００１３】
好ましくは、
回転羽の先端側に配置される分割羽は、ねじ部の頭部を収納する収納部を備える。
【００１４】
好ましくは、
回転羽は、硬度６０度〜８０度のシリコーン樹脂からなる
【発明の効果】
【００１５】
本発明に係るハンディ式ブレンダー及びそのアタッチメントは、少量の薬剤であっても、複数の薬剤を細分化させると共に、空気を含ませて酸化させながら十分に撹拌及び混合して、好適な毛染め剤を生成できる。
【図面の簡単な説明】
【００１６】
【図１】分解されたアタッチメントを示す一部断面側面図。
【図２】アタッチメントと本体部とを示す側面図。
【図３】（Ａ）は第１分割羽を示す平面図、（Ｂ）は第１分割羽を示す斜視図、（Ｃ）は第２分割羽を示す平面図。
【図４】アタッチメントを示す平面図。
【発明を実施するための形態】
【００１７】
以下、図面に基づいて、本発明に係る毛染め剤用ハンディ式ブレンダー及びそのアタッチメントを説明する。
【００１８】
図１及び図２の通り、ハンディ式ブレンダーは、使用者が把持する本体部４と、本体部４に設けられた駆動部５と、本体部４に連結されると共に、駆動部５で回転される回転軸２と、回転軸２の先端２ａに設けられた回転羽１と、を備える。
【００１９】
図１の通り、回転羽１は、回転軸２の軸方向に分割された第１分割羽１１、第２分割羽１２、第３分割羽１３及び第４分割羽１４を備える。第１分割羽１１を除いて、第２分割羽１２、第３分割羽１３及び第４分割羽１４は、それぞれ同一形状で構成される。
【００２０】
回転羽１の先端側に配置される第１分割羽１１は、その他の分割羽１２，１３，１４よりも厚い。ここで、「回転羽１の先端側」とは、回転軸２と反対側をいう。回転軸２の軸方向における第１分割羽１１の高さ（例えば約３ｍｍ）は、回転軸２の軸方向における他の分割羽１２，１３，１４の高さ（例えば約１ｍｍ）よりも高い。
【００２１】
ハンディ式ブレンダーは、頭部３０及びねじ軸３１を有するねじ部３を備える。各分割羽１１，１２，１３，１４は、その中心に、ねじ部３のねじ軸３１を貫通する貫通孔１１２，１２１，１３１，１４１を備える。回転軸２は、その先端部２ａの中心に、ねじ部３のねじ軸３１を螺合するねじ孔２０を備える。
【００２２】
ねじ部３のねじ軸３１は、各分割羽１１，１２，１３，１４の貫通孔１１２，１２１，１３１，１４１を貫通すると共に、回転軸２のねじ孔２０に螺合される。各分割羽１１，１２，１３，１４は、ねじ部３の頭部３０と回転軸２の先端部２ａとの間で固定される（図２）。
【００２３】
回転羽１の先端に配置される第１分割羽１１は、ねじ部３の頭部３０を収納する収納部１１３を備える。これにより、ねじ部３の頭部３０は、回転羽１の内部に収納されて突出しない。
【００２４】
本実施形態では、図２の通り、回転羽１、回転軸２及びねじ部３を組み立てることで、アタッチメント１０が形成される。アタッチメント１０は、回転軸２の基端部２ｂを介して、本体部４の先端に設けられた軸受部４０に着脱可能に連結される。駆動部５は、電気モータからなり、その出力軸が軸受部４０に連結される。駆動部５が駆動すると、軸受部４０が回転する。
【００２５】
本体部４は、電源５０及びスイッチ部５１を備える。電源５０は駆動部５に接続されており、使用者が、スイッチ部５１をオンオフすることで、駆動部５を作動する。
【００２６】
図３（Ａ）及び（Ｂ）の通り、第１分割羽１１は、中心に設けられた円板状のハブ部１１１と、ハブ部１１１を中心とする放射方向に延設された複数の柔軟な突起部１１０と、を備える。さらに、上記の通り、第１分割羽１１は、貫通孔１１２及び収納部１１３を備える。
【００２７】
同様に、図３（Ｃ）の通り、第２分割羽１２は、中心に設けられた円板状のハブ部１２１と、ハブ部１２１を中心とする放射方向に延設された複数の柔軟な突起部１２０と、を備える。さらに、上記の通り、第２分割羽１２は、貫通孔１２１を備える。また、第３及び第４分割羽１３，１４は、第２分割羽１２と同一形状である。
【００２８】
各分割羽１１，１２，１３，１４は、回転軸２の軸方向から見た平面形態が、収納部１３を除いて、同一形状である。さらに、各分割羽１１，１２，１３，１４は、硬度６０度〜８０度、好ましくは硬度７０度のシリコーン樹脂からなる。
【００２９】
各分割羽１１，１２，１３，１４の直径は、例えば約２０ｍｍであり、各ハブ部１１１，１２１の直径は、例えば約６ｍｍである。各突起部１１０，１２０は、例えばＲ約１４ｍｍで湾曲している。各貫通孔１１２，１２１の直径は、例えば約１．５ｍｍである。収納部１１３は、例えば、直径が約５ｍｍ、高さが約２ｍｍである。
【００３０】
図４の通り、各分割羽１１，１２，１３，１４は、各突起部１１０，１２０が、回転軸２の軸方向から見て互いに重ならないように配置されている。なお、「互いに重ならない」とは、回転軸２の軸方向に隣接する各分割羽１１，１２，１３，１４の各突起部１１０，１２０が重なっていないことを意味する。即ち、第１分割羽１１の突起部１１０と、それに隣接しない第３分割羽１３の突起部１２０とは、重なっていてもよい。
【００３１】
[変形例]
以上、本発明の好ましい実施形態を説明したが、本発明の構成はこれらの実施形態に限定されるものではない。
・回転軸２と本体部４とは、着脱不能に連結されてもよい。
・回転羽１は、各ハブ部１１１，１２１が一体に連結されて、各突起部１１０，１２０だけが、回転軸２の軸方向に分割されてもよい。
・各突起部１１０，１２０が、回転軸２の軸方向から見て互いに重なるように配置されてもよい。
・各突起部１１０，１２０が、直線状に延設されてもよい。
・回転羽１は収納部１１３を備えず、ねじ部３の頭部３０が回転羽１の先端から突設されてもよい。
・回転羽１は、シリコーン樹脂に限らず、所定の柔軟性を有する天然ゴム、熱可塑性エラストマー、イソプレンゴム等でもよい。
・分割羽は、少なくとも２つでよい。
・各分割羽１１，１２，１３，１４は、ねじ部に限らず、接着剤等で固定されてもよい。
【００３２】
本発明に係る毛染め剤用ハンディ式ブレンダー及びそのアタッチメントの効果について説明する。
（１）本発明では、柔軟な突起部が、回転軸の軸方向に分割されており、回転羽の先端側に配置される突起部は、その他の突起部よりも厚い。回転羽の先端側に配置される突起部が厚いので、弾性力が強く、カップ部の底に溜まる複数の薬剤を強く、かつ、迅速に撹拌及び混合できる。さらに、その他の突起部が薄いので、弾性力が弱く、複数の薬剤を細分化させると共に、空気を含ませて酸化させながら十分に撹拌及び混合できる。
【００３３】
（２）さらに、各突起部は、回転軸の軸方向から見て互いに重ならないように配置されている。これにより、複数の薬剤をより細かく撹拌及び混合できると共に、薬剤が飛び散り難いという効果を奏する。
【００３４】
（３）さらに、回転羽は、回転軸の軸方向に分割された複数の分割羽を備え、各分割羽は、複数の突起部を備える。分割羽は、容易に成形できるので、回転羽の複数の突起部を容易に製造できると共に、突起部とハブ部との連結が強くなり、破損し難くできる。
【００３５】
（４）さらに、各分割羽は、ねじ部の頭部と回転軸との間で固定される。これにより、分割羽を容易に組立及び分解できるので、製造及び洗浄を迅速に実行できる。
【００３６】
（５）さらに、回転軸の先端側に配置される分割羽は、ねじ部の頭部を収納する収納部を備える。これにより、ねじ部が回転羽から突出しないので、回転羽の先端の面をカップ部の底に当接することで、その摩擦力で回転羽の回転を停止できる。そのため、使用者は、駆動部をオンオフすることなく、回転羽をカップ部に当接及び離間するだけで、回転羽を迅速に停止及び回転できるので、薬剤を最適なタイミングで撹拌できる。
【００３７】
（６）さらに、回転羽は、硬度６０度〜８０度のシリコーン樹脂からなる。これにより、回転羽を容易に製造できると共に、薬剤の撹拌に対する最適な突起部の弾性力を得ることができる。
【符号の説明】
【００３８】
１  回転羽
１１  第１分割羽
１１０  突起部
１１２  貫通孔
１１３  収納部
１２  第２分割羽
１３  第３分割羽
１４  第４分割羽
２  回転軸
２ａ  先端部
２ｂ  基端部
２０  ねじ孔
３  ねじ部
３０  頭部
３１  ねじ軸
４  本体部
５  駆動部
１０  アタッチメント
【図１】
2017113127.tif 000003
【図２】
2017113127.tif 000004
【図３】
2017113127.tif 000005
【図４】
2017113127.tif 000006